(57)【要約】【課題】  一度に大面積を施工できる。植物の育成ができる。重量充填物が脱落するのを防止して長期間にわたって確実に土壌侵食を防止できる。【解決手段】  通水性、通気性を有する表面シート１と通水性、通気性を有する裏面シート２との間に複数のポケット部３を形成する。このポケット部３内に重量充填物４を充填すうる。表裏面シート１、２を一体に固着する。【選択図】        図１
2005213865.tif 000002
【特許請求の範囲】
【請求項１】
通水性、通気性を有する表面シートと通水性、通気性を有する裏面シートとの間に形成した複数のポケット部内に重量充填物を充填すると共に表裏面シートを一体に固着して成ることを特徴とする斜面安定用ブロックマット。
【請求項２】
重量充填物が砕石であることを特徴とする請求項１記載の斜面安定用ブロックマット。
【請求項３】
重量充填物がセメントで固めたブロックであることを特徴とする請求項１記載の斜面安定用ブロックマット。
【請求項４】
重量充填物が汚泥のリサイクル物であることを特徴とする請求項１記載の斜面安定用ブロックマット。
【請求項５】
重量充填物が、表面シート側に凸となった半球体により構成してあることを特徴とする請求項１乃至請求項４のいずれかに記載の斜面安定用ブロックマット。
【発明の詳細な説明】
【技術分野】
【０００１】
本発明は、傾斜した地表の侵食、崩壊を防止するために使用する斜面安定用ブロックマットに関するものである。
【背景技術】
【０００２】
従来から土木分野において、護岸、河川堤防、造成地の法面、道路、鉄道の路肩等の斜面、ゴルフ場、スキーゲレンデの急斜面等の傾斜面の保護工事としては、通常コンクリート製のブロック、あるいは、コンクリートや合成樹脂製の枠ブロックを一つ一つ斜面に敷き並べて施工していた。
【０００３】
ところが、これらの従来例は、施工に当たり、コンクリート製のブロック、あるいはコンクリートや合成樹脂製の枠ブロックを一つ一つ敷き並べて施工していたので、施工に多大の手間と時間がかかるという問題があった。更に、コンクリートブロックの場合、無機質のコンクリートの外観であるため、自然環境の保護という観点から好ましいものではなかった。
【０００４】
そこで、斜面を安定化させるために使用される斜面安定用ブロックマットが提案されている。（例えば、特許文献１参照）
このものは、上下に貫通する空洞を有し且つこの空洞に培養土や種子を接着剤で硬化したものを充填したコンクリートブロックを透水性を有するシートの表面に多数貼り付けたものであり、貼り付けに当たっては、コンクリートブロック中に含まれるセメントの自己接着力や接着剤を利用してシートにコンクリートブロックを貼り付けてある。この斜面安定用ブロックマットは斜面に敷いて、ピン打ちなどで固定するのであるが、一度に大面積の施工ができ、また、シートを通して斜面に植物が生育するので、自然環境の保護という面でも好ましいものである。
【０００５】
ところが、この特許文献１に示された従来例は、コンクリートブロック中に含まれるセメントの自己接着力や接着剤を利用してシートに異材料のコンクリートブロックを接着したものであるため、接着力が弱く、シートから剥がれ易く、またコンクリートブロックがむき出しのため、施工後に、外力が作用する（例えばバイクなどがコンクリートブロック上を通過したりして外力が作用する）とコンクリートブロックが破損したり、剥がれ落ちたりし、更に、流水が作用すると、シートからコンクリートブロックが剥離し、コンクリートブロックが剥がれると、剥離した部分は重しがなくなるためシートが不安定となり、斜面の保護ができなくなるという問題がある。
【特許文献１】特開平４−２０３１１６号公報
【発明の開示】
【発明が解決しようとする課題】
【０００６】
本発明は上記の従来の問題点に鑑みて発明したものであって、簡単な構成で、一度に大面積を施工でき、且つ植物の育成もできながら、重量充填物が脱落するのを防止して長期間にわたって確実に土壌侵食を防止できる斜面安定用ブロックマットを提供することを課題とするものである。
【課題を解決するための手段】
【０００７】
上記課題を解決するために本発明に係る斜面安定用ブロックマットは、通水性、通気性を有する表面シート１と通水性、通気性を有する裏面シート２との間に形成した複数のポケット部３内に重量充填物４を充填すると共に表裏面シート１、２を一体に固着して成ることを特徴とするものである。
【０００８】
このような構成とすることで、本発明の斜面安定用ブロックマットＡを斜面などに敷くことで、一度に、大面積の施工ができるのはもちろんのこと、重しとなる重量充填物４が表裏シート１、２間に形成されたポケット部３内に充填してあるので、仮に斜面安定用ブロックマットＡ上をバイクなどが通ったとしても、重量充填物４が破損したり、剥がれ落ちることがなく、また、流水によっても重量充填物４が剥がれて脱落することがなく、これにより、長期にわたりシートのめくれや土壌の侵食を防止することができるものである。しかも、表裏面シート１、２はいずれも透水性、通気性を有しているので、植物の発芽、発根に必要な水や空気を保持、流通させることができて、保護すべき土壌に植物を生育させて、成長を促進させることができ、安定化すべき斜面を緑化できるものである。
【０００９】
また、重量充填物４が砕石であることが好ましい。
【００１０】
このような構成とすることで、砕石をポケット部３内に収納するのみで脱落しなようにでき、セメントなどで固める必要がなくて、コンクリートの養生期間が必要でないと共に安価に提供できるものであり、また、砕石をポケット部３内に充填することで、この重量充填部４部分においても通水性、通気性を確保でき、この部分においても土壌に通水、通気ができると共にこの部分においても植物の根が張ることができるものである。
【００１１】
また、重量充填物がセメントで固めたブロックであることが好ましい。
【００１２】
このような構成とすることで、斜面安定用ブロックマットＡの取扱い、施工が容易で、安定した品質を保つことができ、また、通気性、通水性を有する表面シート１の目が粗くても重量充填物４がこぼれることがなく、また、ポケット部３部分において表面シート１が少し破れても、重量充填物４がこぼれることがないものである。
【００１３】
また、重量充填物４が汚泥のリサイクル物であることが好ましい。
【００１４】
このような構成とすることで、汚泥の有効利用が図れ、資源の再生や環境面において効果がある。
【００１５】
また、重量充填物４が、表面シート１側に凸となった半球体により構成してあることが好ましい。
【００１６】
このような構成とすることで、斜面安定用ブロックマットＡの表面側においては、多数の凸部が存在すると言えども凸部が半球状であるため流水抵抗が少なくて、流水により剥がれ難く、また、斜面安定用ブロックマットＡの裏面側においては、凸部が存在しないので、施工すべき斜面の地均しをした面に沿いやすくて、綺麗に且つ安定よく施工することができるものである。
【発明の効果】
【００１７】
本発明は、一度に、大面積の施工ができ、また、重量充填物が表裏面シートの間に形成されるポケット部に充填してあるので、斜面安定用ブロックマット上を仮にバイクなどがが走行したとしても、重量充填物が破損したり、剥がれ落ちることがなく、また、流水によっても重量充填物が剥がれて脱落することがなく、長期にわたりシートのめくれや土壌の侵食を防止することができるものであり、しかも、表裏面シートはいずれも透水性、通気性を有しているので、植物の発芽、発根に必要な水や空気を保持、流通させることができて、保護すべき土壌に植物を生育させて、成長を促進させることができ、安定化すべき斜面を緑化できて、自然環境を保護することができるものである。
【発明を実施するための最良の形態】
【００１８】
以下、本発明を添付図面に示す実施形態に基いて説明する。
【００１９】
通水性、通気性を有する表裏面シート１、２間に多数のポケット部３を形成して、該ポケット部３に重量充填物４を充填して本発明の斜面安定用ブロックマットＡを形成してある。表裏面シート１、２は不織布、織布、網、無数の小孔を設けた孔あきシート等により形成してあり、表裏面シート１、２間に形成されるポケット部３は表面シート１乃至裏面シート２の一方又は両方に内部が凹となった凸成部５を設けて表裏面シート１、２を合わせて接着や熱溶着等により部分的に固着して一体化することで、凸成部５部分でポケット部３を構成するようになっている。
【００２０】
図１、図２に示す実施形態では、表面シート１に多数の凸成部５を形成し、裏面シート２には凸成部５の無い平坦なシートとなっている。
【００２１】
本発明の斜面安定用ブロックマットＡを形成するには、例えば、図２（ａ）のように、凸成部５と同じ大きさ、ピッチの多数の凹所６を設けた支持台７の上に、多数の凸成部５を形成した表面シート１を凹所６に凸成部５が嵌り込むように敷き、この状態で、図２（ｂ）のように、凸成部５内に重量充填物４を充填し、充填した重量充填物４の上面を、表面シート１の凸成部５以外の部分と面一となるように均し、その後、図２（ｃ）のように、表面シート１に凸成部５の無い平坦なシートよりなる裏面シート２を重ねて接着剤又は溶着等により固着することで斜面安定用ブロックマットＡを形成するものである。したがって、本実施形態においては、形成される斜面安定用ブロックマットＡは表面シート１側においては重量充填物４が充填したポケット部３が凸部８となって突出し、裏面シート２側においては重量充填物４を充填したポケット部３が突出しない平坦面となっている。
【００２２】
また、表裏面シート１、２を接着又は溶着により固着して一体化するには、少なくとも、図１に示すように、ポケット部３の周囲を不連続にあるいは連続して固着し（図において符号９は固着部を示している）、更に、ポケット部３以外の部分においては、必要に応じて部分的に表面シート１と裏面シート２とを固着し、固着してない部分において、通気性、通水性を確保できるようにしている。
【００２３】
このようにして形成した斜面安定用ブロックマットＡは通常は上下反転し、図１に示すように、表面シート１が上、裏面シート２が下となるようにして、護岸、河川堤防、造成地の法面、道路、鉄道の路肩等の斜面、ゴルフ場、スキーゲレンデの急斜面等の傾斜面（図示せず）に敷設して、傾斜面の保護を行うものである。
【００２４】
この場合、傾斜面は凸凹がないように地均しをし、この地均しをした傾斜面に図１のように裏面シート２を下にした状態で斜面安定用ブロックマットＡを敷設するものであり、これにより、凸成部５の無い裏面シート２が地均しをした傾斜面に沿うように敷設することができるものである。斜面安定用ブロックマットＡを敷設するに当たっては、クレーン等の重機を用いて敷設するものであり、一度の敷設で大面積を施工できるものである。傾斜安定用マット２はピン（図示せず）などを打ち込むことで、斜面に固着するのであり、また、多数の重量充填物４が重しとなって、長期間安定して斜面に敷設されることになる。
【００２５】
ポケット部３に充填した重量充填物４により形成される上記斜面安定用ブロックマットＡの上面（表面）側に突出した凸部８の形状は特に限定はないが、凸部８を表面シート１側に凸となった半球状としておくと、凸部８が曲面であるため外力が作用しても破損し難く、また、流水抵抗が小さくて河川の護岸の保護をする場合においても、流水により流されないものである。
【００２６】
もちろん、凸部８が平面視方形、あるいは平面視方形以外の多角形となる角錐台形状としてもよいものである。
【００２７】
また、凸成部５の大きさを変えることで、重量充填物４の荷重の異なる種々の斜面安定用マットＡを形成でき、目的に応じた最適の重しを備えた斜面安定用マットＡを提供できるものである。
【００２８】
斜面安定用ブロックマットＡには植物の種子を播き、植物を育成させることができる。表面シート１、裏面シート２が通水性、通気性を有しているので、空気、水を流通させ、発芽、発根を可能とし、植物の根は表面シート１、裏面シート２を通って、保護対象となった斜面の土壌に根を張り、土壌と斜面安定用ブロックマットＡとを更に一体に固着し、植物が生育することで、斜面安定用ブロックマットＡ表面を植物で覆って緑化することになる。表面側には多数の多数の凸部８が存在するため、植物が育成された斜面安定用ブロックマットＡの上面（表面）の凸部８の陰が小動物の隠れ家となって小動物にも良好な環境を提供することができることになる。
【００２９】
ところで、重量充填物４は表裏シート１、２間に形成されたポケット部３内に充填してあるので、施工中に重量充填物４が破損したり、剥がれ落ちたりするのを防止できるのはもちろん、施工後に斜面をバイクなどが通過したとしても、重量充填物４が破損したり、斜面安定用ブロックマットＡから脱落したりすることがなく、また、流水などにより重量充填物４が脱落することがなく、長期間安定して斜面安定用ブロックマットＡの重しとしての役目を果たすことができるものである。
【００３０】
ポケット部３内に充填する重量充填物４としては、砕石、土、セメントで固めたブロック、汚泥のリサイクル物、土ならびに汚染物質を含む産業廃棄物等を挙げることができる。
【００３１】
重量充填物４として砕石を用いると、セメントで固めてブロック化しなくても砕石をポケット部３内に収納するのみで脱落しないようにできるので、セメントで固めるものに比べて硬化のための養生期間が必要でなく、また、材料も安価であるので、斜面安定用ブロックマットＡを安価に提供できるものである。また、砕石をポケット部３内に充填することで、この重量充填部４部分においても通水性、通気性を確保できるものであり、この部分においても土壌に通水、通気ができると共にこの部分においても植物の根が張ることができ、斜面安定用ブロックマットＡの全面にわたって良好に植物を育成することができることになる。
【００３２】
ここで、砕石中に土を混ぜてポケット部４内に充填しておくと、植物を良好に育成することができ、この場合、土として肥料を混入した植物の培養土を用いるといっそう良好に植物の育成ができ、更に、培養土内に植物の種子を混入させておいてもよく、この場合には、確実に重量充填物４部分において植物を発芽、発根させることが可能である。
【００３３】
重量充填物４として土のみを充填することも可能であるが、土のみの場合には流水等により流れ出してしまいやすいため、土を入れる場合には砕石と混入して充填するのが好ましい。
【００３４】
重量充填物４としてセメントで固めたブロックを用いる場合には、重量充填物４の形を保形すると共に安定した設計通りの重量物とすることができる。これにより、斜面安定用ブロックマットの取扱い、施工が容易で、安定した品質を保つことができ、安定した品質の斜面安定用ブロックマットＡを提供できるものであり、また、通気性、通水性を有する表面シート１の目が粗くても重量充填物４がこぼれることがなく、また、ポケット部３部分において表面シート１が少し破れても、重量充填物４がこぼれることがなく、この点でも長期間にわたって、安定して斜面安定用ブロックマットＡにおける重しとしての役目を果たすことができる。
【００３５】
セメントで固めたブロックとしては、砕石や砂利等の粗骨材と砂よりなる細骨材とセメントと水を混合して硬化させたコンクリートブロック、砂よりなる細骨材とセメントと水を混合して硬化させたモルタルブロック、土とセメントと水とを混合して硬化させたソイルセメントブロック、汚泥をセメントで固めたブロック等がある。ここで、ソイルセメントブロックは土をセメントで硬化させたものであるから、重量充填物４部分において植物を直接生育させることが可能である。
【００３６】
また、河川、湖沼、汚水処理場、建設現場等で発生する各種の汚泥をセメントで固めたブロックを使用すると、汚泥の有効利用が図れ、資源の再生や環境面において効果がある。この場合、河川、湖沼、汚水処理場で発生する汚泥は植物の生育に必要な養分、ミネラルを含んでおり、この汚泥をセメントで硬化した重量充填物４を使用する場合には重量充填物４部分において良好に植物を生育させることができることになる。
【００３７】
なお、ポケット部３に充填される重量充填物４がセメントで固めたブロックの場合、あらかじめ、セメントで固めたブロックよりなる重量充填物４をポケット部３を構成するための表面シート１に多数の凸成部５に嵌め込むことで充填してもよく、この場合には、必要に応じて重量充填物４と表面シート１、裏面シート２を接着剤で接着してもよい。また、凸成部５に未硬化のセメントの混合物を充填して加圧し、その後、表面シート１に裏面シート２を重ねて接着又は溶着して固着し、この状態で養生してセメントを硬化すると、セメントの自己接着力により重量充填物４と表面シート１、裏面シート２とが接着される。
【００３８】
また、表面シート１、裏面シート２は１重でも２重以上の多重でもよく、多重にした場合には重量充填物４の保護がより確実になり、砂利や土を重量充填物４として充填した場合に、砂利や土がこぼれ難く、また、コンクリートブロックやモルタルブロックなどに比べて強度が低いソイルセメントのブロックや汚泥をセメントで固めたブロックを補強することができるものである。
【００３９】
なお、上記実施形態では平坦な裏面シート２が下、凸部８が突出した表面シート１側を上となるように斜面安定用ブロックマットＡを傾斜面に敷設した例を示したが、平坦な裏面シート２が上、凸部８が突出した表面シート１側を下となるように斜面安定用ブロックマットＡを傾斜面に敷設してもよく、この場合には、上面が平坦面であるため、施工面を凸凹の無い状態にできて外観を良くすることが出きると共に、凸部８が地面中に埋設されて傾斜面に対して斜面安定用ブロックマットＡがずれ難くなるものである。
【００４０】
また、上記実施形態では、表面シート１側に凸部８が突出し、裏面シート２側は凸部８が無いようにした例を示したが、図３のように、表面シート１側及び裏面シート２側の両方に凸部８が突出するようにしてもよく、この場合には表面シート１及び裏面シート２の両方に凸成部６を形成するものである。
【図面の簡単な説明】
【００４１】
【図１】（ａ）は本発明の斜面安定用ブロックマットの正面断面図であり、（ｂ）は側面断面図であり、（ｃ）は平面図である。
【図２】（ａ）（ｂ）（ｃ）は同上の斜面安定用ブロックマットの製造順序を示す説明図である。
【図３】本発明の他の実施形態の断面図である。
【符号の説明】
【００４２】
Ａ  斜面安定用ブロックマット
１  表面シート
２  裏面シート
３  ポケット部
４  重量充填物
【図１】
2005213865.tif 000003
【図２】
2005213865.tif 000004
【図３】
2005213865.tif 000005